【手続補正書】
【提出日】平成25年6月13日(2013.6.13)
【手続補正１】
【補正対象書類名】特許請求の範囲
【補正対象項目名】全文
【補正方法】変更
【補正の内容】
【特許請求の範囲】
【請求項１】
コンピュータシステムにおいて、コンピュータ装置から、埋込みクライアントアプリケーションを保持するコンテナ文書についてのキーワードコンテキストと、前記コンテナ文書が配置される前記コンピュータ装置に関連付けられた地理的コンテキストとを含む要求を取得するステップであって、前記コンピュータシステムは、前記コンピュータ装置とは分離されている、ステップと、
他の地理的領域と異なった前記地理的コンテキストに対応する地理的領域に配置されることを決定されるエンティティによって利用可能にされる1つまたは複数の商品またはサービスを識別する情報を、前記コンピュータ装置で生成するために、前記キーワードコンテキストおよび前記地理的コンテキストを使用するステップと、
前記コンピュータシステムから前記コンピュータ装置へ前記生成された情報を送信するステップとを備える、コンピュータで実行される方法。
【請求項２】
前記コンテナ文書がウェブページを備え、前記埋込みクライアントアプリケーションが前記コンテナ文書上のiFrame内で動作する、請求項１に記載の方法。
【請求項３】
前記コンピュータシステムが、特定のキーワードおよび位置にターゲティング広告コンテンツを提供する広告サーバを備える、請求項１に記載の方法。
【請求項４】
前記コンピュータシステムがリアルタイムオークションサーバを備え、前記1つまたは複数の商品またはサービスを識別する前記生成された情報が前記リアルタイムオークションサーバによって現在販売中のアイテムを表示する広告を含む、請求項１に記載の方法。
【請求項５】
前記コンピュータシステムが販売中のアイテムについての情報を返すアイテム検索システムを備え、前記アイテムが、前記キーワードコンテキストに対応するとともに、前記地理的コンテキストに対応する領域内または付近で販売されている、請求項1に記載の方法。
【請求項６】
前記要求は、前記コンテナ文書を識別することに使用されるＵＲＬをさらに含む、請求項1に記載の方法。
【請求項７】
前記ＵＲＬに関連付けられたコンテンツを表すキーワードを決定するステップをさらに備え、
1つまたは複数の商品またはサービスを識別するために前記キーワードコンテキストおよび前記地理的コンテキストを使用するステップは、前記1つまたは複数の商品またはサービスを識別するために前記ＵＲＬに関連付けられたコンテンツを表す前記キーワードを使用するステップさらに備える、請求項６に記載の方法。
【請求項８】
前記ＵＲＬに関連付けられたコンテンツを表すキーワードを決定するステップが、前記ＵＲＬに関連付けられたウェブページを検索するステップと、前記ウェブページのコンテキスト分析を実行するステップとを備える、請求項７に記載の方法。
【請求項９】
前記コンピュータシステムによって後で使用するために、前記ＵＲＬに関連付けられたコンテンツを表す前記決定されたキーワードを格納するステップをさらに備える、請求項８に記載の方法。
【請求項１０】
前記コンピュータ装置に関連付けられた前記地理的コンテキストは、前記コンピュータ装置からの前記要求に関連するＩＰアドレスを含む、請求項１に記載の方法。
【請求項１１】
前記コンピュータ装置からの前記要求は、暗号化されている、請求項１に記載の方法。
【請求項１２】
コード化された命令を記録した不揮発性コンピュータ読み取り可能な記録媒体であって、プロセッサによって実行されたとき、
コンピュータ装置から、埋込みクライアントアプリケーションを保持するコンテナ文書についてのキーワードコンテキストと、前記コンテナ文書が配置される前記コンピュータ装置に関連付けられた地理的コンテキストとを含む要求を取得するステップと、
他の地理的領域と異なった前記地理的コンテキストに対応する地理的領域に配置されることを決定されるエンティティによって利用可能にされる1つまたは複数の商品またはサービスを識別する情報を生成するために、前記キーワードコンテキストおよび前記地理的コンテキストを使用するステップと、
前記コンピュータ装置へ前記生成された情報を送信するステップと
を実行するように前記プロセッサを動作させる前記コード化された命令を記録した不揮発性コンピュータ読み取り可能な記録媒体。
【請求項１３】
前記1つまたは複数の商品またはサービスを識別する前記生成された情報が、特定のキーワードおよび位置についてのターゲティング広告コンテンツを含む、請求項１２に記載の不揮発性コンピュータ読み取り可能な記録媒体。
【請求項１４】
前記要求は、前記コンテナ文書を識別することに使用されるＵＲＬをさらに含み、
前記命令は、前記プロセッサによって実行されたとき、前記ＵＲＬに関連付けられたコンテンツを表すキーワードを決定するステップをさらに実行するように前記プロセッサを動作させ、
1つまたは複数の商品またはサービスを識別する情報を生成するために、前記キーワードコンテキストおよび前記地理的コンテキストを使用するステップは、前記1つまたは複数の商品またはサービスを識別するために前記URLに関連付けられたコンテンツを表す前記キーワードを使用するステップさらに備える、請求項１２に記載の不揮発性コンピュータ読み取り可能な記録媒体。
【請求項１５】
前記ＵＲＬに関連付けられたコンテンツを表すキーワードを決定するステップが、前記ＵＲＬに関連付けられたウェブページを検索するステップと、前記ウェブページのコンテキスト分析を実行するステップとを備える、請求項１４に記載の不揮発性コンピュータ読み取り可能な記録媒体。
【請求項１６】
1つまたは複数のコンピュータプロセッサと、
前記1つまたは複数のコンピュータプロセッサによって実行されたとき、所定のステップとを実行するように前記1つまたは複数のプロセッサを動作させる命令を記録した1つまたは複数の不揮発性コンピュータ読み取り可能な記録装置とを備えるシステムであって、
前記所定のステップは、
コンピュータ装置から、埋込みクライアントアプリケーションを保持するコンテナ文書についてのキーワードコンテキストと、前記コンテナ文書が配置される前記コンピュータ装置に関連付けられた地理的コンテキストとを含む要求を取得するステップと、
他の地理的領域と異なった前記地理的コンテキストに対応する地理的領域に配置されることを決定されるエンティティによって利用可能にされる1つまたは複数の商品またはサービスを識別する情報を生成するために、前記キーワードコンテキストおよび前記地理的コンテキストを使用するステップと、
前記コンピュータ装置へ前記生成された情報を送信するステップと
を含む、システム。
【請求項１７】
前記1つまたは複数の商品またはサービスを識別する前記生成された情報が、特定のキーワードおよび位置についてのターゲティング広告コンテンツを含む、請求項１６に記載のシステム。
【請求項１８】
前記1つまたは複数の商品またはサービスを識別する前記生成された情報が、リアルタイムオークションサーバによって現在販売中のアイテムを表示する広告を含む、請求項１６に記載のシステム。
【請求項１９】
前記要求は、前記コンテナ文書を識別することに使用されるＵＲＬをさらに含み、
前記命令は、前記1つまたは複数のプロセッサによって実行されたとき、前記URLに関連付けられたコンテンツを表すキーワードを決定するステップをさらに実行するように前記1つまたは複数のプロセッサを動作させ、
1つまたは複数の商品またはサービスを識別する情報を生成するために、前記キーワードコンテキストおよび前記地理的コンテキストを使用するステップは、前記1つまたは複数の商品またはサービスを識別するために前記URLに関連付けられたコンテンツを表す前記キーワードを使用するステップさらに備える、請求項１６に記載のシステム。
【請求項２０】
前記URLに関連付けられたコンテンツを表すキーワードを決定するステップが、前記ＵＲＬに関連付けられたウェブページを検索するステップと、前記ウェブページのコンテキスト分析を実行するステップとを備える、請求項１９に記載のシステム。